(57)【特許請求の範囲】
【請求項１】
ケースとカバーとからなる絶縁箱体の前後に、電源側及び負荷側の各極端子が互いに隣接してそれぞれ配置され、前記カバーには前記各極端子の真上にねじ締め穴が設けられた多極開閉器において、
一端に前記端子に接続される接続部を有し、他端に電線が接続される端子部を有する各極別の接続導体と、これらの接続導体の前記接続部を外部に突出させ、前記端子部を囲む絶縁ハウジングとからなり、前記絶縁ハウジングをユニットケースとユニットカバーとに上下２分割構成するとともに、該ユニットケースとユニットカバーに互いに係合する係合部を設け、前記接続導体を該ユニットケースとユニットカバーとの間に挟んで該ユニットケースとユニットカバーとを係合部の係合により結合し、かつ前記絶縁ハウジングの内部は相間隔壁により各極別の配線空間に区画され、これら配線空間はそれぞれ前記接続部を突出させる側の端部が閉塞され、その反対側の端部に電線挿入口が開口するとともに、この電線挿入口と前記端子部との間に電線を導く電線通路が構成され、また絶縁ハウジングには前記端子部の真上にねじ締め穴が設けられ、前記絶縁箱体の電源側端部に装着されることを特徴とする多極開閉器の端子ユニット。
【請求項２】
前記接続導体の端子部側が接続部側よりも低くなるように段差を設けたことを特徴とする請求項１記載の多極開閉器の端子ユニット。
【請求項３】
前記電線通路の上下壁面に、前記端子部に向かって電線を案内する傾斜を設けたことを特徴とする請求項１又は請求項２記載の多極開閉器の端子ユニット。
【請求項４】
前記絶縁ハウジングに絶縁箱体のケースのねじ締め穴を覆う覆い板を設けたことを特徴とする請求項１記載の多極開閉器の端子ユニット。
【発明の詳細な説明】
【０００１】
【発明の属する技術分野】
この発明は、絶縁箱体の前後に電源側及び負荷側の各極端子が互いに隣接してそれぞれ配置された配線用遮断器などの多極開閉器に関し、特に電源側端子の相間絶縁距離を増やすための端子ユニットに関する。
【０００２】
【従来の技術】
従来、開閉器の端子間絶縁距離は、開閉器の絶縁箱体を形成するケース及びカバーの形状により決定されている。すなわち、端子間絶縁距離を増やすためには、相間隔壁を大きくし、また開閉器が取り付けられる盤パネルと端子との間の絶縁距離を増やすためには、カバーのパネルカット面（盤パネルと接するカバー上面）を端子面から高くとっている。
【０００３】
【発明が解決しようとする課題】
ところが、必要とされる上記絶縁距離は、開閉器の各種規格によりそれぞれ異なっている。そのため、従来は各規格の中の最大絶縁距離が確保できるように、絶縁箱体の寸法を定めている。一方、開閉器は外形寸法の縮小が求められており、最大絶縁距離を必要としない用途では、標準よりも小形の絶縁箱体が用いられている。その結果、従来は必要な絶縁距離に応じて、２種類の絶縁箱体を用意しなければならないという問題があった。
そこで、この発明の課題は、開閉器を小形にしながら、上記絶縁距離を容易に増やせるようにすることにある。
【０００４】
【課題を解決するための手段】
上記課題を解決するために、この発明は、ケースとカバーとからなる絶縁箱体の前後に、電源側及び負荷側の各極端子が互いに隣接してそれぞれ配置され、前記カバーには前記各極端子の真上にねじ締め穴が設けられた多極開閉器に、開閉器本体よりも絶縁距離が長い端子ユニットを装着するものとし、この端子ユニットは、一端に前記端子に接続される接続部を有し、他端に電線が接続される端子部を有する各極別の接続導体と、これらの接続導体の前記接続部を外部に突出させ、前記端子部を囲む絶縁ハウジングとからなり、前記絶縁ハウジングをユニットケースとユニットカバーとに上下２分割構成するとともに、該ユニットケースとユニットカバーに互いに係合する係合部を設け、前記接続導体を該ユニットケースとユニットカバーとの間に挟んで該ユニットケースとユニットカバーとを係合部の係合により結合し、かつ前記絶縁ハウジングの内部は相間隔壁により各極別の配線空間に区画され、これら配線空間はそれぞれ前記接続部を突出させる側の端部が閉塞され、その反対側の端部に電線挿入口が開口するとともに、この電線挿入口と前記端子部との間に電線を導く電線通路が構成され、また絶縁ハウジングには前記端子部の真上にねじ締め穴が設けられ、前記絶縁箱体の電源側端部に装着されるものとする（請求項１）。このような手段によれば、絶縁ハウジングの形状により、接続導体の端子間絶縁距離及び端子・パネルカット面間絶縁距離を適宜に決定した端子ユニットを開閉器の絶縁箱体に装着し、その絶縁距離を必要に応じて開閉器本体よりも長くすることができる。
【０００５】
前記接続導体は、端子部側が接続部側よりも低くなるように段差を設けるのがよい（請求項２）。これにより、この段差の分だけ端子・パネルカット面間絶縁距離を増やすことができる。
【０００６】
前記電線通路の上下壁面には、前記端子部に向かって電線を案内する傾斜を設けるのがよく（請求項３）、これにより電線通路を長くして絶縁距離の増大を図った場合においても、端子ユニットへの電線の挿入を容易にすることができる。また、前記絶縁ハウジングに絶縁箱体のケースのねじ締め穴を覆う覆い板を設ける（請求項４）ようにする。
【０００７】
【発明の実施の形態】
図１〜図３はこの発明の実施の形態を示すもので、図１は端子ユニットを装着した３極開閉器の一部分を破断した平面図、図２は図１の縦断面図、図３(Ａ)は端子ユニットの分解正面図、図３(Ｂ)は同じく分解縦断面図である。図１及び図２において、開閉器１はモールドケース２とモールドカバー３とからなる絶縁箱体に、可動・固定接触子や、開閉機構、過電流引外し装置などが内蔵され、絶縁箱体の前後に電源側（図の左側）及び負荷側（同じく右側）の端子４（電源側のみ示す）が相間隔壁を介して隣接配置されている。端子４には座金５を有する端子ねじ６が設けられ、モールドカバー３のパネルカット面Ｐを形成する上面壁には、端子ねじ６をドライバで締めるためのねじ締め穴７が設けられている。
【０００８】
図１〜図３において、端子ユニット８は、一端に端子４に接続される接続部９ａを有し、他端に電線１０が接続される端子部９ｂを有する各極別の接続導体９と、これらの接続導体９の接続部９ａを外部に突出させ、端子部９ｂを囲むモールド樹脂の絶縁ハウジングとからなり、絶縁ハウジングはユニットカバー１１とユニットケース１２とに上下２分割構成されている。端子部９ｂには端子４におけるものと同じ端子ねじ６が設けられている。前記接続導体９は中間部がＺ字状に屈曲され、端子部９ｂ側が接続部９ａ側よりも低くなるように段差が設けられている。ユニットカバー１１は、左右の側壁１１ａ，１１ａと、その間に渡る上面壁１１ｂ及び前面壁１１ｃとにより外郭が形成され、その内側に相間隔壁１１ｄが一体形成されている。また、上面壁１１ｂの延長上に、前方（図２の右方向）に向って延びるように、開閉器１のねじ締め穴７に被さる覆い板１１ｅがひさし状に一体形成されている。更に、上面壁１１ｂには、端子部９ｂの端子ねじ６の真上に、端子ねじ６を締めるドライバを挿入するためのねじ締め穴１３があけられている。
【０００９】
ユニットケース１２は、左右の側壁１２ａ，１２ａと、その間に渡る下面壁１２ｂ及び前面壁１２ｃとにより外郭が形成されている。図２に示すように、ユニットケース１２は、ユニットカバー１１との間に接続導体９を挟んで、ユニットカバー１１の内側に組み合わされ、側壁１２ａの外側にそれぞれ前後２箇所に一体形成された爪１２ｄ（図３）と、ユニットカバー１１の側壁１１ａに爪１２ｄに対応してあけられた穴１１ｆとのスナップフィット式の係合により結合される。この結合により形成された絶縁ハウジングの内部は、相間隔壁１１ｄにより各極別の空間１４に区画され、これら各極空間１４はそれぞれ接続部９ａを突出させる側の端部が前面壁１１ｃ，１２ｃにより閉塞され、その反対側の端部に電線挿入口１５が開口している。そして、電線挿入口１５と端子部９ｂとの間には、電線１０を端子部９ｂに導く電線通路１４ａが構成されている。
【００１０】
ここで、図２において、電線通路１４ａの上下壁面には、電線挿入口１５から端子部９ｂに向かって電線１０を案内する傾斜が設けられ、電線通路１４ａは側面から見てラッパ状に形成されている。また、電線通路１４ａの側面を構成するユニットカバー１１の側壁１１ａ及び隔壁１１ｄには、複数の条溝１６（図１）が上下方向に形成されている。
【００１１】
上記した端子ユニット８は、次のようにして開閉器１に装着される。まず、各極の接続導体９を接続部９ａを介して端子ねじ６により、開閉器１の電源側端子４に締めつける。次いで、ユニットカバー１１を開閉器１のカバー３に連結する。ここで、ユニットカバー３の前面壁１１ｃには中心に、鳩尾形断面の係合突起１１ｇが上下方向に一体形成され、これに対応してカバー３の端面に同形の係合溝３ａが形成されている。そこで、ユニットカバー１１は、係合突起１１ｇを係合溝３ａに上方から挿入し、覆い板１１ｅをカバー３の上面に当接させ、また前面壁１１ｃの下端面を接続導体９の上面に当接させて図示の通り結合する。この状態で、覆い板１１ｅはカバー３の上面に密接してねじ締め穴７を覆う。その後、ユニットケース１２をユニットカバー１１に下方から挿入し、爪１２ｄを穴１１ｆにスナップフィット式に係合させて、両者を結合する。この状態でユニットケース１２の前面壁１２ｃは接続導体の下面に当接し、ユニットカバー１１の前面壁１１ｃとともに、ケース２及びカバー３の端面を覆う。
【００１２】
端子ユニット８が装着された図１及び図２の開閉器１において、開閉器１の端子４の相間の絶縁距離及びパネルカット面Ｐとの間の絶縁距離は、端子ユニット８の端子部９ｂ，９ｂ（正確には座金５，５）間の絶縁距離Ｇ（図１）及びパネルカット面Ｐと端子部９ｂ（正確には端子ねじ6）との間の絶縁距離Ｈ（図２）に置き換えられ、これら絶縁距離Ｇ，Ｈは開閉器本体のケース２やカバー３の形状や寸法に制約されることなく、必要とされる値に適宜設定可能である。その際、絶縁距離Ｇは、図示の通り、電線通路１４ａの側壁面に複数の条溝１６を上下方向に形成することにより効果的に増やすことができ、また絶縁距離Ｈは接続導体９に段差を設けて端子部９ｂ側を下げることにより容易に拡大することができる。なお、明確には図示してないが、ケース２及びカバー３の電源側（図１の左側）の端面にも、負荷側（同じく右側）と同様に凹部１７が設けられ、ユニットカバー１１及びユニットケース１２の対向面には凹部１７と密に噛み合う凸部が形成されていて、この噛み合い部の密着により、開閉器１と端子ユニット８の端面間に仮に若干の隙間が生じても、この隙間により相間絶縁が低下しないように配慮されている。
【００１３】
【発明の効果】
以上の通り、この発明によれば、端子ユニットの装着により開閉器本体の絶縁箱体を拡大しなくても大きな絶縁距離を確保することができ、開閉器の大型化を招くことなく、必要な最大絶縁距離に対応することができる。一つの具体例として、開閉器単独における相間絶縁距離12.7mm及びパネルカット面・端子間絶縁距離9.7mmをこの発明に係る端子ユニットの装着により、それぞれ50.8mm及び12.7mmに増やすことができた。
【図面の簡単な説明】
【図１】この発明の実施の形態を示す開閉器の一部分を破断した平面図である。
【図２】図１の縦断面図である。
【図３】端子ユニットの分解図で、(Ａ)は正面図、(Ｂ)は縦断面図である。
【符号の説明】
１    開閉器
２    ケース
３    カバー
４    端子
５    座金
６    端子ねじ
７    ねじ締め穴
８    端子ユニット
９    接続導体
９ａ  接続部
９ｂ  端子部
１０    電線
１１    ユニットカバー
１２    ユニットケース
１３    ねじ締め穴
１４    配線空間
１４ａ  電線通路
１５    電線挿入口
１６    条溝
【図１】
0003843675.tif 000002
【図２】
0003843675.tif 000003
【図３】
0003843675.tif 000004